(57)【要約】【課題】本発明は、自動通報機能を利用し付帯の携帯電話から、指定先携帯電話に自動ダイヤルする指定先電話呼出機能付き多目的インターフォン・モバイルに関する。【解決手段】本発明の指定先電話呼出機能付き多目的インターフォン・モバイルを住宅、店舗、事務所、無人倉庫、寺社、工場、別荘、工事現場、交番、無人駅など、また故障が想定される屋内外駐車場など機械設備に設置しておき、訪問者が前記施設を訪問し、必要に応じて、インターフォン・モバイルの受話器を取る、ボタンを押す、あるいはセンサーが訪問者を検知すると、自動通報発信回路６が起動し付帯の携帯電話１からイヤホンマイク７を介して、指定先携帯電話に自動ダイヤルを行う。管理者・警備会社・指令センターが受信した電話を取ることで、発信側携帯電話と通話状態となり、会話、音量調整機能付きスピーカーｂを介して呼びかけや、予め収録された音声を発し、音声ガイダンスもできる。【選択図】図２
2009033551.tif 000002
【特許請求の範囲】
【請求項１】
携帯電話から指定先電話番号に自動発信できる自動通報発信回路、携帯電話機、携帯電話充電回路、スピーカーａ、音量調整機能付きスピーカーｂ、マイクロホン、音声収録部で構成された装置を一体化したケース、または受話器形状から成り、他に外部接点入力端子を有し、押しボタンまたはＡ接点/Ｂ接点の信号入力、あるいは受話器を取ることで収納された携帯電話または別途に、設置された携帯電話に接続されたイヤホンマイクから自動通報発信回路を介し、指定先の一般電話、ＰＨＳ、携帯電話に自動ダイヤル、会話のできることを特徴とする、指定先電話呼出機能付き多目的インターフォン・モバイル。
【請求項２】
前記自動通報発信回路は、押しボタンを押す、受話器を取る、あるいは外部接点入力端子から入力された、Ａ接点/Ｂ接点の信号入力や、接点の状態変化によって、構成される携帯電話に予め登録された、一般電話、ＰＨＳ、携帯電話に自動ダイヤルで接続され、スピーカーａ、マイクロホンで会話ができ、且つ、内部のデイップスイッチ切替によって、予め収録された音声を音量調整機能付きスピーカーｂを介して音声出力できることを特徴とする請求項１記載の、指定先電話呼出機能付き多目的インターフォン・モバイル。
【請求項３】
前記携帯電話充電器回路は、ＡＣ電源または太陽電池、バッテリーからでも充電できることを特徴として、また電源部と自動通信回路部はそれぞれ独立した機構となっており、携帯電話の電池のみで外部の電話と通信、会話のできることを特徴とする請求項１記載の、指定先電話呼出機能付き多目的インターフォン・モバイル。
【請求項４】
前記携帯電話に接続されるイヤホンマイク入力口は、丸型または平型プラグで構成されていることを特徴とする請求項１記載の、指定先電話呼出機能付き多目的インターフォン・モバイル。
【請求項５】
前記自動通報発信回路は、押しボタンを押す、受話器をとる、あるいは外部接点入力端子から入力される、Ａ接点/Ｂ接点入力や接点の入力状態変化を検知し、指定先の一般電話、ＰＨＳ、携帯電話に自動ダイヤルされ通報された先の管理者が、電話に出ることで通話できる状態となり、一方的に音量調整機能付きスピーカーｂから呼びかけも、できることを特徴とする請求項１記載の、指定先電話呼出機能付き多目的インターフォン・モバイル。
【請求項６】
前記自動通報発信回路は、外部接点入力端子から入力される、Ａ接点/Ｂ接点入力や接点の入力状態変化を検知し、指定先の一般電話、ＰＨＳ、携帯電話に自動ダイヤルされ通報された先の管理者が、電話に出ることで通話できる状態となり、一方的に音量調整機能付きスピーカーｂから呼びかけもでき、且つ、内部のデイップスイッチの切替によって、予め収録された音声を音量調整機能付きスピーカーｂを介して、音声出力できることを特徴とする請求項１記載の、指定先電話呼出機能付き多目的インターフォン・モバイル。
【発明の詳細な説明】
【技術分野】
【０００１】
本発明は、自動通報機能を利用して付帯の携帯電話から、指定先携帯電話等に自動ダイヤルすると共に会話、呼びかけ、音声ガイダンスのできる、指定先電話呼出機能付き多目的インターフォン・モバイルに関する。
【背景技術】
【０００２】
従来のインターホンは、一般的に玄関子機と受信親機を、玄関と建物内の必要な箇所とを有線で接続して会話できる機種、または双方無線で会話できる機種が市販されている。
しかし、前者の有線式は受信親機の周辺に人がいないと通話不能であり、このことから、犯罪者が無断侵入する際、その建物内が無人であるか否かを確認する手段にもなっており、防犯上でも好ましくはない。
一方、後者の無線式の場合では、通信距離が限定されており、訪問者が来客しても管理者が建物から遠く離れている場合は、これといった手立てが無い、これらを解決するためにインターホンも進化し、建物内の一般電話回線を利用して、電話機と自動通報装置を組合せた装置を介して、携帯電話やＰＨＳ、一般電話、数箇所に転送して会話のできるインターホンも開発されている(特許文献１を参照)。
しかし、いずれも有線式の電話回線、ＡＣ電源等の配線工事を必要としており、通信回線の断線や、電源が停電あるは故意に切断されると用をなさず、防犯上も好ましくなく、一般電話回線を利用して転送機能を有する製品は、設備費も高価で防犯面から考えても実用的ではない。
その他に、インターホンの呼出ボタンが押されるなどで、呼出がかかると、あらかじめ設定しておいた携帯電話へ自動的にダイヤルする機能と、携帯電話と通話する機能を備えた携帯端末呼出機能付インターホンが知られている(特許文献２を参照)。
【特許文献１】特開２００２−３３８３７号公報
【特許文献２】実用新案登録第３０８２１５８号
【発明の開示】
【発明が解決しようとする課題】
【０００３】
本発明の指定先電話呼出機能付き多目的インターフォン・モバイルは、基本的に本インターフォン・モバイルに付帯する携帯電話に充電器を常時接続して使用すると共に、機能としては受話器を取ることだけで、あるいは必要に応じてセンサー入力でも、インターフォン・モバイルに付帯の携帯電話が、自動的に発信して管理者の指定する電話番号に接続し、会話ができるインターフォン・モバイルを提供することを目的とする。
【課題を解決するための手段】
【０００４】
本発明の指定先電話呼出機能付き多目的インターフォン・モバイルは、付帯される携帯電話から指定先電話番号に自動発信できる自動通報発信回路、携帯電話機、携帯電話充電回路、受話器スピーカー、音量調整機能付きスピーカー、マイクロホン、音声収録部で構成された装置を一体化したケースまたは受話器形状から成り、他に外部接点入力端子を有し、押しボタンまたはＡ接点/Ｂ接点の信号入力、あるいは受話器を取ることで付帯された携帯電話に接続されたイヤホンマイクから自動通報発信回路を介し、指定先の一般電話、ＰＨＳ、携帯電話に自動ダイヤル、会話のできるものである。
【０００５】
本発明の指定先電話呼出機能付き多目的インターフォン・モバイルは、自動通報発信回路が押しボタンを押す、受話器を取る、あるいは外部接点入力端子から入力されたＡ接点/Ｂ接点の信号入力や、接点の状態変化によって、付帯される携帯電話に予め登録された一般電話、ＰＨＳ、携帯電話に自動ダイヤルで接続され、受話器スピーカー、マイクロホンで会話ができ、且つ、内部のデイップスイッチ切替によって、予め収録された音声を音量調整機能付きスピーカーを介して音声出力できるものである。
本発明の指定先電話呼出機能付き多目的インターフォン・モバイルは、携帯電話充電器回路がＡＣ電源または太陽電池、バッテリーからでも充電できることを特徴として、また電源部と自動通信回路部はそれぞれ独立した機構となっており、携帯電話の電池のみで外部の電話と通信、会話のできるものである。
本発明の指定先電話呼出機能付き多目的インターフォン・モバイルは、携帯電話に接続されるイヤホンマイク入力口が丸型または平型プラグで構成されているものである。
【０００６】
本発明の指定先電話呼出機能付き多目的インターフォン・モバイルは、自動通報発信回路が押しボタンを押す、受話器を取る、あるいは外部接点入力端子から入力されるＡ接点/Ｂ接点入力や接点の入力状態変化を検知し、付帯される携帯電話から指定先の一般電話、ＰＨＳ、携帯電話に自動ダイヤルされ、通報された先の管理者が、電話に出ることで通話できる状態となり、一方的に音量調整機能付きスピーカーから呼びかけも、できるものである。
本発明の指定先電話呼出機能付き多目的インターフォン・モバイルは、自動通報発信回路が外部接点入力端子から入力されるＡ接点/Ｂ接点入力や接点の入力状態変化を検知し、付帯される携帯電話から指定先の一般電話、ＰＨＳ、携帯電話に自動ダイヤルされ、通報された先の管理者が、電話に出ることで通話できる状態となり、一方的に音量調整機能付きスピーカーから呼びかけもでき、且つ、内部のデイップスイッチの切替によって、予め収録された音声を音量調整機能付きスピーカーを介して、音声出力できるものである。
【発明の効果】
【０００７】
本発明の指定先電話呼出機能付き多目的インターフォン・モバイルは、防犯用途、屋外施設機械の故障用途、来訪者へ対応用途など、目的に応じて、システム構成を任意に選定できるシステムである。
一例を上げれば、来訪者がインターフォン・モバイルの受話器を取り、不在の際は管理者の携帯電話で受信して会話でき、いつでも来訪者対応を可能とする効果と、あるいはボタンを押す、Ａ接点/Ｂ接点入力や、センサー接点の入力状態変化でインターフォン・モバイル装置に付帯された携帯電話から指定先電話番号に自動ダイヤル、会話、呼びかけもできる装置であり且つ内部でデイップスイッチの切替によって音声出力の機構も有しており、設置場所においては進入禁止であることの警告や、あるいは音声案内の用途でも利用できると共に、システム構成によっては防犯上の効果も期待される。
一方、管理者、警備会社、指令センター、交番などでは各種案内を可能にする効果も期待できると共に、街角に設置されたインターフォン・モバイルを介して、救急コールで救援を求められた際、発信された携帯電話番号から発信場所を特定して、状況に応じた迅速な対応を取ることも、できるなど、多くの効果が期待できる。
本発明の指定先電話呼出機能付き多目的インターフォン・モバイルは、管理施設に来訪者があった際、受話器を取る、ボタンを押す、またはセンサー信号入力で、インターフォン・モバイル装置に収納された携帯電話、または接続された携帯電話が自動的に起動、指定先の携帯電話、ＰＨＳ、一般電話の電話番号に自動ダイヤル、管理者と会話ができることから、施設管理者は自分の都合にあわせ、インターフォン・モバイル装置側の携帯電話に送信先を任意に登録、設定することで、来訪者にたして迅速な対応が可能となる。
【０００８】
また、本発明の指定先電話呼出機能付き多目的インターフォン・モバイルは、テナントビルの入居者などの場合、事務所の玄関付近にインターフォン・モバイルおよび防犯センサーを設置すると、ビル全体が休日の場合、犯罪を行おうとして侵入した犯罪者を防犯センサーが感知しセンサー信号入力で、管理者の持つ携帯電話や警備会社にも直ちに自動ダイヤル、通話できる状態にできることから、来訪者に受話器を取るように話しかけもできるし、話しかけに応じない場合は、インターフォン・モバイル装置のマイクロホンから聞える音で玄関付近の状態の把握や、玄関付近にいる犯罪者に対して音声による退去の呼びかけ、威嚇も可能になり、状態に応じては警察への連絡もスムーズにできることから、防犯上で同装置への期待や、装置を広く普及させることで社会貢献にもつながる。
また、ゲート式駐車場やエレベータ、自動販売機などを含む屋外機械設備が故障した場合、その多くは故障発見者の通報により復帰対応しているのが現状であり、特に屋外施設の場合、施設利用者の利便性を考え、一般回線を利用した故障報知設備を備えた屋外機械設備もあるが、屋外機械設備の設置場所によっては通信回線の引き込みが困難であったり、多大な費用を要する場合もあるし、また、通信回線が有線式の場合は、回線自体の断線や、装置を制御、動作させているＡＣ電源の停電、切断などがあった場合には装置自体の機能が失われ、故障の際でも仮に通信設備があっても全く機能しないことになるが、本発明の指定先電話呼出機能付き多目的インターフォン・モバイルは、付帯の携帯電話バッテリーの充電だけなされていれば機能する事から、必ずしもＡＣ電源は必要としない、極めて小容量の太陽電池、蓄電池でも長期間の利用ができる。
また自動通報に用いられる携帯電話も機種によっては、一度の充電で待ち受け半月以上も使用可能である。
【発明を実施するための最良の形態】
【０００９】
本発明の指定先電話呼出機能付き多目的インターフォン・モバイルの一実施例を添付図面に基づいて、以下に説明する。
図１は、本発明の指定先電話呼出機能付き多目的インターフォン・モバイルの概略図であり、１はインターフォン・モバイル付帯の携帯電話、２は会話をするための受話器、３は受話器を収納するためのケース、４はＡ接点/Ｂ接点入力のための外部接点入力端子である。
図２の概略回路構成図に示すように、５は受話器２を取る、ボタンを押す、外部接点入力端子４の接点入力を受けることにより、自動通報発信回路６を介して受信者が電話に出ることで通信状態にして、受信者が遠隔地から音声を発することのできる前記ケース３の音量調整機能付きスピーカーｂ、６は受話器２を取ることなどによって携帯電話１から自動発信のできる自動通報発信回路、７は自動通報発信回路６に接続されたイヤホンマイク、該イヤホンマイク７は付帯する前記携帯電話１に接続して使用する。
【００１０】
前記携帯電話１は、自動通報発信回路６を介して接点を入力、イヤホンマイク７を介して会話のできる機種で、Ａ/Ｂいずれの接点入力もしくは接点の状態変化を検知し、指定先電話番号に自動ダイヤルできるものである。
前記イヤホンマイク７の先端は、丸型または平型プラグで構成される。
前記ケース３は、自動通報、発信に必要な信号入力部と、会話するための受話器２のスピーカーａ、受信者が電話にでることで音声を発することのできるケース３の音量調整機能付きスピーカーｂ部から構成される。
【００１１】
次に、本発明の指定先電話呼出機能付き多目的インターフォン・モバイルの操作動作を添付図面に基づいて、以下に説明する。
本発明の指定先電話呼出機能付き多目的インターフォン・モバイルは、来訪者対応用途、防犯用途、屋外施設機械の故障用途などが、一般的用途として考えられるが、防犯センサーを組合せてシステム構成などは任意に選定できるシステムである。
本発明の指定先電話呼出機能付き多目的インターフォン・モバイルを必要に応じて、住宅、店舗、事務所、無人倉庫、寺社、工場、別荘、工事現場、交番、街角、無人駅など、また故障が想定される屋内外駐車場、自動販売機など機械設備に設置する。
前記インターフォン・モバイル付帯の携帯電話１には予め通報したい指定先電話番号を入力しておき、目的に応じた検知センサーを外部接点入力端子４に接続する。
【００１２】
一例を上げれば、来訪者が受話器２を取る、ボタンを押す、あるいはＡ接点/Ｂ接点入力や接点の入力状態変化で、自動通報発信回路６が起動、インターフォン・モバイル装置に収納された携帯電話１、あるいは接続されている携帯電話１から指定先電話番号に自動ダイヤル、来訪者とリアルタイムに会話のできる装置であり、また本発明の指定先電話呼出機能付き多目的インターフォン・モバイルは、建物などを管理する管理者と、会話を目的とする受話器本体には、受話器スピーカーａの他に、音量調整可能なスピーカーｂも備えており、各種信号入力により自動ダイヤル、発信を行い、通報された管理者が電話にでることにより通話可能の状態とし、音量調整可能なスピーカーｂから一方的に声をかけるスピーカー部と、予め収録された音声を内部のデイップスイッチの切替によって、音声出力可能な音声データ収録部から構成されるものである。
【００１３】
中で一例をあげるが交番に設置したと仮定すると、土地不案内な来訪者が道案内を求めて交番に行く、お巡りさんはパトロール中で留守している場合が多いが、交番に用事の方はと題して、張り紙をインターフォン・モバイルの近くに張り、「御用の方は受話器をお取り下さい、巡回中の担当者に接続します。」と明記、訪問者が受話器を取ることで、巡回中のお巡りさんの携帯電話に接続され、会話で簡単な道案内などは可能となり、行政サービスの一環としても有効な手段と云える。
また仮に巡回中のお巡りさんの持つ携帯電話が圏外、話中の際でも携帯電話には転送機能、話中でも知らせてくれる、キャッチホンサービスも一般的に行われており、より安全で真心のこもった、行政サービスの提供も可能となる。
【００１４】
またタクシー会社が無人駅に、インターフォン・モバイルを設置する。「タクシーの必要なお客様は受話器をお取り下さい、配車担当者に接続ご案内します、」と明記、タクシー利用者は受話器を取り、タクシー配車係に接続、配車を要請できる、またタクシー会社にとっても携帯電話の基本料だけで２４時間対応の営業所開設も可能となり、また近年の携帯電話キャリアも様々なユーザーメリットある商品の提供を行っており、某携帯電話会社においては同じ会社同士の携帯電話なら、無料に近い通話料金設定の携帯電話利用のプランも一般的になっており、インターフォン・モバイルの利便性、活用によっては新たなサービス商品の創造も可能となる。
【００１５】
また一般的な使用例では個人住宅に設置する、近年は共働きも多く、宅配便が荷物の配達に来た際でも配達員が受話器を取り、直接会話でスムーズな連絡が可能となり、配達時間の指示もできることから大変便利である。
また仮に在宅している場合でも、来客に際し携帯電話で対応、しつこい営業マンには、今は忙しいからと断り、また不在の際でも、来訪者に対して在宅している様な対応も可能となり、防犯上でも極めて効果的な手段となる。
【００１６】
このように、本発明のインターフォン・モバイルは担当者が不在時でも、持っている携帯電話で対応が可能となる。
屋外機械設備の故障時には必要に応じてメンテナンス対応や、設置されたインターフォン・モバイルの受話器を取ることで救急コールなど、緊急時の連絡を可能にできる。
あるいは、必要に応じて外部入力端子４のセンサーと組合せることによって、センサーが感知、通話状態として音声での呼びかけや、予め収録された音声出力を利用して、注意の喚起や防犯上での利用、異常状況や目的に対応した行動を迅速に取ることができる。
【図面の簡単な説明】
【００１７】
【図１】本発明の指定先電話呼出機能付き多目的インターフォン・モバイルの概略図である。
【図２】本発明の指定先電話呼出機能付き多目的インターフォン・モバイルの概略回路構成図である。
【符号の説明】
【００１８】
１  携帯電話
２  受話器
３  ケース
４  外部接点入力端子
５  音量調整機能付きスピーカーｂ
６  自動通報発信回路
７  イヤホンマイク
【図１】
2009033551.tif 000003
【図２】
2009033551.tif 000004